(57)【要約】【課題】  ユーザの命令に応じて複写対象物をスキャンして画像形成可能なデータを格納部に逆順に格納することにより，１８０°回転した複写結果物を得ることができる１８０°回転複写機能を有する複写装置および１８０°回転複写方法を提供する。【解決手段】  入力部と，前記原稿台に積載された複写対象物をスキャンして画像形成可能なデータに変換するスキャニング部と，変換された前記画像形成可能なデータを前記複写対象物に対して割り当てられたメモリ領域に格納する格納部と，前記入力部から１８０°回転複写命令を入力した場合，変換された前記画像形成可能なデータが前記メモリ領域の番地に対して逆順に格納されるように制御する制御部とを備える。【選択図】    図２
2005117638.tif 000002
【特許請求の範囲】
【請求項１】
複写対象物を積載する原稿台が設けられたフラットベッドスキャン方式の複写装置において：
命令入力部と；
前記原稿台に積載された複写対象物をスキャンして画像形成可能なデータを生成するスキャニング部と；
前記画像形成可能なデータを前記複写対象物に対して割り当てられたメモリ領域に格納する格納部と；
前記入力部から１８０°回転複写命令が入力された場合，前記画像形成可能なデータが前記メモリ領域の番地に対して逆順に格納されるように制御する制御部と；
を備えることを特徴とする複写装置。
【請求項２】
前記格納部は，前記画像形成可能なデータを前記複写対象物に対して割り当てられた第１のメモリ領域に格納するスキャンメモリを有し，
前記制御部は，前記１８０°回転複写命令が入力された場合，前記画像形成可能なデータが前記第１のメモリ領域の最終メモリ番地から逆順に格納されるように制御することを特徴とする請求項１に記載の複写装置。
【請求項３】
印刷部をさらに備え，
前記制御部は，前記１８０°回転複写命令が入力された場合，逆順に格納された前記画像形成可能なデータをローディングして印刷するように前記印刷部を制御することを特徴とする請求項２に記載の複写装置。
【請求項４】
前記格納部は，前記画像形成可能なデータを前記複写対象物に対して割り当てられた第１のメモリ領域に格納するスキャンメモリと，前記第１のメモリ領域に格納された前記画像形成可能なデータを前記複写対象物に対して割り当てられた第２のメモリ領域に再格納するプリントメモリと，を備えることを特徴とする請求項１に記載の複写装置。
【請求項５】
印刷部をさらに備え，
前記制御部は，前記１８０°回転複写命令が入力された場合，前記第１のメモリ領域に格納された前記画像形成可能なデータは前記第２のメモリ領域の最終メモリ番地から逆順に再格納するように制御し，再格納された前記画像形成可能なデータは前記第２のメモリ領域の最初メモリ番地から正順にローディングして印刷するように前記印刷部を制御することを特徴とする請求項４に記載の複写装置。
【請求項６】
前記入力部は，１８０°回転複写機能設定キーを有し，
前記表示部は，１８０°回転複写機能表示発光ランプを有し，
前記制御部は，前記１８０°回転複写機能設定キーを用いて１８０°回転複写機能を設定した場合，前記１８０°回転複写機能表示発光ランプが発光するように制御することを特徴とする請求項１，２，３，４または５のいずれかに記載の複写装置。
【請求項７】
前記入力部は，１８０°回転複写機能設定キーを有し，
前記制御部は，前記１８０°回転複写機能設定キーを用いて１８０°回転複写機能を設定した場合，前記表示部に１８０°回転複写機能が設定されたメッセージが表示されるように制御することを特徴とする請求項１，２，３，４または５のいずれかに記載の複写装置。
【請求項８】
複写対象物を積載する原稿台が設けられたフラットベッドスキャン方式の複写方法であって，
１８０°回転複写命令が入力された場合，前記原稿台に積載された複写対象物をスキャンして画像形成可能なデータを読み出すステップと；
前記画像形成可能なデータを前記複写対象物に対して割り当てられたメモリ領域の最終メモリ番地から逆順に格納するステップと；
を含むことを特徴とする複写方法。
【請求項９】
格納された前記画像形成可能なデータを前記メモリ領域の最初メモリ番地から正順にローディングして印刷するステップをさらに含むことを特徴とする請求項８に記載の複写方法。
【請求項１０】
複写対象物を積載する原稿台が設けられたフラットベッドスキャン方式の複写装置で複写を行う方法であって，
１８０°回転複写命令が入力された場合，前記原稿台に積載された複写対象物をスキャンして画像形成可能なデータを読み出すステップと；
前記画像形成可能なデータを前記複写対象物に対して割り当てられたメモリ領域に格納し，前記メモリ領域の最終メモリ番地から逆順にローディングして印刷する印刷ステップと；
を含むことを特徴とする複写方法。
【請求項１１】
前記印刷ステップは，
前記画像形成可能なデータを前記メモリ領域の最初メモリ番地のメモリ領域から正順に格納するステップと；
格納された前記画像形成可能なデータを前記メモリ領域の最終メモリ番地から逆順にローディングして印刷するステップと；
を含むことを特徴とする請求項１０に記載の複写方法。
【請求項１２】
複写対象物を積載する原稿台が設けられたフラットベッドスキャン方式の複写装置で複写を行う方法であって，
複写命令が入力された場合，前記原稿台に積載された複写対象物をスキャンして画像形成可能なデータを読み出すステップと；
読み出された前記画像形成可能なデータが既に設定された基準画像データの方向と同一であるか否かを判断するステップと；
判断の結果，前記既に設定された基準画像データの方向と反対方向である場合，前記画像形成可能なデータを前記複写対象物に対して割り当てられたメモリ領域の最終メモリ番地から逆順に格納するステップと；
を含むことを特徴とする複写方法。
【請求項１３】
格納された前記画像形成可能なデータを前記メモリ領域の最初メモリ番地から正順にローディングして印刷するステップをさらに含むことを特徴とする請求項１２に記載の複写方法。
【請求項１４】
複写対象物を積載する原稿台が設けられたフラットベッドスキャン方式の複写装置で複写を行う方法であって，
複写命令が入力された場合，前記原稿台に積載された複写対象物をスキャンして画像形成可能なデータを読み出すステップと；
読み出された前記画像形成可能なデータが既に設定された基準画像データの方向と同一であるか否かを判断するステップと；
判断の結果，前記既に設定された基準画像データの方向と反対方向である場合，前記画像形成可能なデータを前記複写対象物に対して割り当てられたメモリ領域に格納し，前記メモリ領域の最終メモリ番地から逆順にローディングして印刷する印刷ステップと；
を含むことを特徴とする複写方法。
【請求項１５】
前記印刷ステップは，
判断の結果，前記既に設定された基準画像データと反対方向である場合，前記画像形成可能なデータを前記メモリ領域の最初メモリ番地から正順に格納するステップと；
格納された前記画像形成可能なデータを前記メモリ領域の最終メモリ番地から逆順にローディングして印刷するステップと；
を含むことを特徴とする請求項１４に記載の複写方法。
【請求項１６】
複写対象物をスキャンするための複写装置において，
複写対象物を画像形成可能なデータに変換するため前記複写対象物をスキャンするスキャニング部と；
前記画像形成可能なデータに対応する複写対象物を基準方向に対して既に決定された角度で回転するように前記画像形成可能なデータを制御する制御部と；
を備えることを特徴とする複写装置。
【請求項１７】
前記決定された角度は，１８０°であることを特徴とする請求項１６に記載の複写装置。
【請求項１８】
前記データは，ビットマップデータであることを特徴とする請求項１６または１７に記載の複写装置。
【請求項１９】
前記複写対象物を積載する原稿台を有し，前記スキャニング部は，前記原稿台に積載された前記複写対象物をスキャンすることを特徴とする請求項１６，１７または１８に記載の複写装置。
【請求項２０】
前記スキャニング部は，前記複写対象物を固定してスキャンすることを特徴とする請求項１６，１７，１８または１９のいずれかに記載の複写装置。
【請求項２１】
前記複写対象物が固定された状態であるとき，前記スキャニング部は，固定された複写対象物へ移動することを特徴とする請求項１６，１７，１８または１９のいずれかに記載の複写装置。
【請求項２２】
前記制御部は，前記複写対象物の画像形成可能なデータを基準方向に対して回転したイメージとして印刷するために該画像形成可能なデータを調整することを特徴とする請求項１６，１７，１８，１９，２０または２１のいずれかに記載の複写装置。
【請求項２３】
前記複写対象物は第１の複写対象と第２の複写対象を含み，
前記画像形成可能なデータは前記第１および第２の複写対象に対応する第１および第２のサブデータを含み，
複写イメージは，前記第１および第２のサブデータに対応する第１および第２のサブ複写イメージを含み，
前記制御部は，前記第１および第２のサブ複写イメージのうちいずれか１つが他のサブ複写イメージに対して一定の角度を有するようにすることを特徴とする請求項１６，１７，１８，１９，２０，２１または２２のいずれかに記載の複写装置。
【請求項２４】
前記複写対象物は，複数の複写対象を含み，前記第１の複写対象と前記第２の複写対象は，いずれか一方が奇数番目の前記複写対象であり，他方が偶数番目の前記複写対象であることを特徴とする請求項２３に記載の複写装置。
【請求項２５】
前記第１の複写対象と前記第２の複写対象は，前記一定の角度を有し，どちらか一方の複写対称を一定の角度回転させて同一向きに揃えることができることを特徴とする請求項２３または２４に記載の複写装置。
【請求項２６】
前記第１の複写対象と前記第２の複写対象は，どちらか一方の複写対象を１８０°回転させて同一向きに揃えることができることを特徴とする請求項２３または２４に記載の複写装置。
【請求項２７】
前記第１および第２のサブデータを格納するメモリを有し，
前記制御部は，前記第１および第２のサブデータが異なる格納順に格納されるように前記メモリを制御することを特徴とする請求項２３，２４，２５または２６に記載の複写装置。
【請求項２８】
前記画像形成可能なデータを格納するメモリを含み，
前記制御部は，異なる格納順のうちのいずれか１つで格納されるように前記メモリを制御することを特徴とする請求項１６に記載の複写装置。
【請求項２９】
複写対象物をスキャンするための複写装置において，
第１および第２の画像形成可能なデータに変換するため前記複写対象物の第１の複写対象と第２の複写対象をスキャンするスキャニング部と，
前記第１および第２の画像形成可能なデータに対応するイメージを互いに一定の角度を有するように前記第１および第２の画像形成可能なデータのうちの１つを制御する制御部と，
を備えることを特徴とする複写装置。
【請求項３０】
複写対象物をスキャンするための複写方法であって，
前記複写対象物をスキャンするステップと；
スキャンした対象物を画像形成可能なデータに変換するステップと；
前記画像形成可能なデータに対応する複写イメージを基準方向に対して予め決定された角度で回転するように画像形成可能なデータを制御するステップと；
を含むことを特徴とする複写方法。
【請求項３１】
前記予め決定された角度は，１８０°であることを特徴とする請求項３０に記載の複写方法。
【請求項３２】
前記スキャンした対象物をビットマップデータに変換することを特徴とする請求項３０または３１に記載の複写方法。
【請求項３３】
前記スキャンするステップは，固定された前記複写対象物に対してスキャンすることを特徴とする請求項３０，３１または３２のいずれかに記載の複写方法。
【請求項３４】
前記制御するステップにおいて，前記スキャンした対象物の画像形成可能なデータを基準方向に対して回転させたイメージとして印刷するため該画像形成可能なデータを調整することを特徴とする請求項３０，３１，３２または３３のいずれかに記載の複写方法。
【請求項３５】
前記複写対象物は，第１および第２の複写対象を含み，
前記画像形成可能なデータは，前記第１および前記第２の複写対象に対応する第１および第２のサブデータを含み，
複写イメージは，前記第１および前記第２のサブデータに対応する第１および第２のサブ複写イメージを含み，
前記第１のサブ複写イメージと前記第２のサブ複写イメージのうちいずれか一つが他のサブ複写イメージに対して一定の角度を有するように制御すされることを特徴とする請求項３０，３１，３２，３３または３４のいずれかに記載の複写方法。
【請求項３６】
前記第１の複写対象と前記第２の複写対象とは，どちらか一方の複写対象を１８０°回転させて同一向きに揃えることができることを特徴とする請求項３５に記載の複写方法。
【請求項３７】
前記第１のサブデータは第１の格納順序に，前記第２のサブデータは第２の格納順序に従って格納するように制御されることを特徴とする請求項２３に記載の複写方法。
【発明の詳細な説明】
【技術分野】
【０００１】
本発明は，フラットベッドスキャン方式の複写装置およびその複写方法に関し，より詳しくは，複写対象物をスキャンし，これを１８０°回転させて複写を行うことができるフラットベッドスキャン方式の複写装置およびその複写方法に関する。
【背景技術】
【０００２】
通常，コピー機，プリンタ，ファックス機，複合機などのような画像形成装置は，原稿に記録されたデータを読み取ることができるスキャニング機能を備えている。
【０００３】
一般に，スキャン方式としては，シートフィードスキャン方式（Ｓｈｅｅｔ  ｆｅｅｄ  ｓｃａｎｎｉｎｇ  ｍｅｔｈｏｄ）とフラットベッドスキャン方式（Ｆｌａｔｂｅｄ  ｓｃａｎｎｉｎｇ  ｍｅｔｈｏｄ）があげられる。シートフィードスキャン方式は，一般のファックス機のように一枚ずつ読み取ることができるように構成されている。この方式では，原稿をスキャンするためのイメージセンサは，固定されており，原稿が動く方向にＡＤＦ（Ａｕｔｏｍａｔｉｃ  Ｄｏｃｕｍｅｎｔ  Ｆｅｅｄｅｒ）装置を設けると，複数枚の原稿を自動的にスキャンすることが可能となる。なお，フラットベッドスキャン方式では，一般のコピー機のように一枚ずつは勿論，書物スキャンができるように構成され，原稿は，固定されており，原稿をスキャンするためのイメージセンサが動く方式である。
【発明の開示】
【発明が解決しようとする課題】
【０００４】
図１は，従来の複写装置により複写対象物を複写する様子を示す斜視図であって，前記２つのスキャン方式のうちフラットベッドスキャン方式を適用した複写装置を示している。フラットベッドスキャン方式を適用した複写装置１０において複写対象物として書物２０が適用された場合，図１のようになることがある。即ち，複写対象物である書物２０を展開した大ききが原稿台１２に比べて大きくなる場合がある。この場合，ユーザは，両頁を共にコピーすることができず，別々にコピーすることになる。但し，両頁を複写するには，複写装置の蓋１１の位置により，第１の頁とその他の頁を互いに１８０°回転するように位置させた後に複写作業を行う必要がある。このとき，複写結果物は，各頁が交互に１８０°回転して印刷されるため，ユーザは，複写結果物を頁別に分離や再配置する必要がある。即ち，第１の頁の方向に対して次の頁の方向が１８０°回転した状態になるため，複写結果物を手作業で分類および整理する煩わしさがある。特に，複写対象物が多数である場合，それだけ整理作業に手間がかかるという問題点がある。
【０００５】
そこで，本発明は，このような問題に鑑みてなされたもので，その目的は，複写結果物を，効率よく分類および整理できる複写装置および複写方法を提供することにある。
【課題を解決するための手段】
【０００６】
上記課題を解決するために，本発明のある観点によれば，原稿台が設けられたフラットベッドスキャン方式の複写装置において，命令入力部と，原稿台に積載された複写対象物をスキャンして画像形成可能なデータに変換するスキャニング部と，変換された画像形成可能なデータを複写対象物に対して割り当てられたメモリ領域に格納する格納部と，入力部から１８０°回転複写命令を入力した場合に変換された画像形成可能なデータがメモリ領域の番地に対して逆順に格納されるように制御する制御部とを備えることを特徴とする複写装置を提供する。
【０００７】
格納部は，変換された画像形成可能なデータを複写対象物に対して割り当てられた第１のメモリ領域に格納するスキャンメモリを有し，制御部は，１８０°回転複写命令を入力した場合，変換された画像形成可能なデータが第１のメモリ領域の最終メモリ番地から逆順に格納されるように制御する。スキャンメモリに格納される画像形成可能なデータには，各複写対象に対応するサブデータが含まれる。
【０００８】
複写装置は，印刷部をさらに備え，格納部は，変換された画像形成可能なデータを複写対象物に対して割り当てられた第１のメモリ領域に格納するスキャンメモリと，第１のメモリ領域に格納された画像形成可能なデータを上記複写対象物に対して割り当てられた第２のメモリ領域に再格納するプリントメモリとを有し，制御部は，１８０°回転複写命令が入力された場合，第１のメモリ領域に格納された画像形成可能なデータが第２のメモリ領域の最終メモリ番地から逆順に再格納されるように制御し，再格納した画像形成可能なデータをローディングして印刷部を介して印刷するように制御する。プリントメモリに格納される画像形成可能なデータである複写イメージには，各サブデータに対応するサブ複写イメージが含まれる。
【０００９】
かかる構成により，１８０°回転複写命令を入力した場合の複写結果物は，１８０°回転した状態で出力されるため，複写結果物の向きを容易に揃えることができ，複写結果物の整理作業の負担が軽減される。
【００１０】
複写機能設定の通知については，例えば，入力部と表示部に，複写機能設定キーと複写機能表示発行ランプを用いて，複写機能設定キーを押下したとき，複写機能が設定された場合は複写機能表示発行ランプが発光し，解除された場合は複写機能表示発行ランプが消光するようにすることもできる。かかる構成により，複写機能の設定状態をわかりやすく通知ことができる。また，表示部にＬＣＤ窓を適用し，複写機能設定の通知を複写機能メッセージにて表示することもできる。
【００１１】
上記課題を解決するために，本発明の別の観点によれば，原稿台が設けられたフラットベッドスキャン方式の複写装置で複写を行う方法であって，１８０°回転複写命令を入力した場合，原稿台に積載された複写対象物をスキャンして画像データを読み出すステップと，画像形成可能なデータを複写対象物に対して割り当てられたメモリ領域の最終メモリ番地から逆順に格納するステップとを含むことを特徴とする複写方法を提供する。ここで，読み出された画像形成可能なデータを変換する（例えば，ＪＰＥＧやビットマップデータに変換する）ステップを含んでもよい。変換された画像形成可能なデータを通常の格納課程と逆順に格納することで，複写対象物を１８０°回転した状態の画像形成可能なデータとして扱うことができるようになる。
【００１２】
さらに，上記課題を解決するために，本発明の別の観点によれば，原稿台が設けられたフラットベッドスキャン方式の複写装置で複写を行う方法であって，１８０°回転複写命令が入力された場合，原稿台に積載された複写対象物をスキャンして画像形成可能なデータを読み出すステップと，画像形成可能なデータを複写対象物に対して割り当てられたメモリ領域に格納し，メモリ領域の最終メモリ番地から逆順にローディングして印刷するステップとを含むことを特徴とする複写方法を提供する。ここでも，読み出された画像形成可能なデータを変換する（例えば，ＪＰＥＧやビットマップデータに変換する）ステップを含んでもよい。変換された画像形成可能なデータを格納したメモリ領域の最終メモリ番地から逆順にローディングすることで，格納した画像形成可能なデータを１８０°回転させた状態の画像形成可能なデータとして扱うことができ，１８０°回転した状態の複写結果物を得られる。
【００１３】
上記課題を解決するために，本発明の別の観点によれば，複写対象物をスキャンするための複写装置において，複写対象物を画像形成可能なデータに変換するため複写対象物をスキャンするスキャニング部と，画像形成可能なデータに対応する複写対象物を基準方向に対して既に決定された角度で回転するように画像形成可能なデータを制御する制御部と，を備えることを特徴とする複写装置が提供される。
【００１４】
ここで，決定された角度および画像形成可能なデータは，例えば，１８０°と決定し，ビットマップデータとしてもよい。また，複写装置は，複写対象物を固定しておくフラットベッドスキャン方式を適用することが好ましく，この場合，スキャニング部は固定された複写対象物に対して移動して読み込むことができる。
【００１５】
また，例えば，複写対象物（例えば、本）が第１の複写対象（例えば、奇数頁）と第２の複写対象（例えば、偶数頁）を含み，第１と第２の複写対象が一定の角度（例えば、１８０°）を有している場合，これらをスキャンして読み込んだ画像形成可能なデータをそれぞれ異なる順序で格納することにより，第１と第２の複写イメージが一定の角度を有するようになる。かかる構成により，第１と第２の複写対象を印刷する場合，容易に複写結果物を同一向きに揃えて出力できるようになる。
【発明の効果】
【００１６】
以上のように，本発明にかかる方法を採用した複写装置および複写方法によれば，複写対象物のイメージを所定の角度だけ回転して複写することが可能となる。例えば，小さな原稿台を有する複写装置で書籍をコピーしようとする場合，複写対象物が一枚おきに逆方向にコピーされるのを防止することができる。また，多数の複写作業を行う時，基準方向と逆方向にコピーされた結果物を一つ一つ分離して整理する手間が不要である。このようにして，複写対象物を効率よく分類および整理することができるようになる。
【発明を実施するための最良の形態】
【００１７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１８】
（第１の実施形態）
図２は，第１の実施形態に係る複写装置の概略的なブロック図である。図２を参照するに，この実施形態に係る複写装置１００は，入力部１１０，表示部１２０，スキャニング部１３０，格納部１４０および印刷部１５０を備えている。
【００１９】
入力部１１０は，ユーザ命令を入力するための複数の機能キーを有し，本実施形態の１８０°回転複写機能設定命令キーも設けられている。入力部１１０を介して所定のキーを選択すると，制御部１６０は，これに対応するように複写装置１００を制御する。表示部１２０は，複写装置１００の動作状態を表示する。表示部１２０としては，ＬＣＤ（Ｌｉｑｕｉｄ  Ｃｒｙｓｔａｌ  Ｄｉｓｐｌａｙ）窓，ＬＥＤ（Ｌｉｇｈｔ−ｅｍｉｔｔｉｎｇ  Ｄｉｏｄｅ）などが適用可能である。本実施形態に係る入力部１１０としては，図３Ａ〜図３Ｄに示されたように，１８０°回転複写トグルキー，１８０°回転複写ランプトグルキーが適用可能である。ここで，トグルキー（ｔｏｇｇｌｅ  ｋｅｙ）とは，特定の機能を行うためのものであって，一度キーを押すと，特定の状態にセットされ，再度キーを押すと，セット状態が解除される方式をとるキーをいう。なお，実施形態によっては，入力部１１０および表示部１２０として，タッチスクリーンパネル（ＴＳＰ；Ｔｏｕｃｈ  Ｓｃｒｅｅｎ  Ｐａｎｅｌ）を適用することもできる。
【００２０】
スキャニング部１３０は，原稿台（図示省略）に積載された複写対象物をスキャンして画像データを読み出し，読み出された画像データを二進化したビットマップデータに変換する。スキャニング部１３０は，イメージセンサ１３１とイメージセンサインタフェース部１３２とを有する。
【００２１】
イメージセンサ１３１は，複写対象物をスキャンして画像データを読み出す。一般に，イメージセンサ１３１としては，コンタクトイメージセンサ（ＣＩＳ；Ｃｏｎｔａｃｔ  Ｉｍａｇｅ  Ｓｅｎｓｏｒ），電荷結合素子（ＣＣＤ；Ｃｈａｒｇｅ  Ｃｏｕｐｌｅｄ  Ｄｅｖｉｃｅ）などが適用される。
【００２２】
イメージセンサインタフェース部１３２は，イメージセンサ１３１から読み出された画像データを二進化したビットマップデータに変換する。また，イメージセンサインタフェース部１３２は，変換されたビットマップデータを制御部１６０の制御に基づいてスキャンメモリ１４１に伝達する役割を果たす。
【００２３】
また，スキャニング部１３０には，読取部（図示省略）を設けることもできる。読取部（図示省略）を介して原稿台上の複写対象物が既に設定された基準方向に積載しているか，反対方向に積載しているかを判断することができる。判断の結果，読み出された画像データが既に設定された基準方向に置かれている場合，これに関する情報を制御部１６０に転送する。また，読み出された画像データが既に設定された基準方向と反対方向に置かれている場合，これに関する情報を制御部１６０に転送する。この読取部１６０としては，ＯＣＲ（Ｏｐｔｉｃａｌ  Ｃｈａｒａｃｔｅｒ  Ｒｅｃｏｇｎｉｔｉｏｎ）システムなどが適用される。
【００２４】
格納部１４０は，制御部１６０の制御に基づいて変換されたビットマップデータを格納し，また，複写装置１００を制御するための制御プログラムを格納する。なお，格納部１４０は，スキャンメモリ１４１およびプリントメモリ１４２を有する。
【００２５】
スキャンメモリ１４１は，制御部１６０の制御によりイメージセンサインタフェース部１３２を介して変換されたビットマップデータを格納する。プリントメモリ１４２は，制御部１６０の制御により印刷部１５０へビットマップデータを転送して印刷するためスキャンメモリ１４１に格納されたビットマップデータを伝達し，これを格納する。一般に，スキャンメモリ１４１およびプリントメモリ１４２としては，ＤＲＡＭ（Ｄｙｎａｍｉｃ  Ｒａｎｄｏｍ  Ａｃｃｅｓｓ  Ｍｅｍｏｒｙ）のような揮発性メモリ素子が適用できる。格納部１４０は，その他，複写装置１００の全般的な動作のためのさまざまな制御プログラムが格納される非揮発性メモリ（図示省略）を有する。
【００２６】
印刷部１５０は，制御部１６０の制御により複写装置１００が印刷作業を行うためのもので，制御部１６０の印刷作業命令信号を基にプリントメモリ１４２からローディングしたビットマップデータに対して印刷作業を行うものである。
【００２７】
制御部１６０は，入力部１１０を介して入力されたユーザ命令に対応して複写装置１００内を制御する。即ち，入力部１１０を介して複写命令を入力した場合，制御部１６０は，スキャニング部１３０を制御して複写対象物をスキャンし，スキャンした画像データがイメージセンサインタフェース部１３２を介してビットマップデータに変換するように制御する。また，入力部１１０を介して１８０°回転複写機能設定命令を入力した場合，制御部１６０は，これに関する設定情報を格納部１４０内の所定のメモリ領域に格納し，この所定のメモリ領域からの設定情報に基づいて複写装置１００に１８０°回転複写機能が設定されているか否かを判断する。この判断の結果に基づいて，制御部１６０は，ビットマップデータがスキャンメモリ１４１に逆順または正順に格納されるように制御する。ここで，「正順に格納する」とは，スキャンして二進化変換したビットマップデータを複写対象物に割り当てられたメモリ領域において最初メモリ番地から昇順に格納することを意味する。また，「逆順に格納する」とは，スキャンして二進化変換したビットマップデータを複写対象物に割り当てられたメモリ領域において最終メモリ番地から降順に格納することを意味する。
【００２８】
また，制御部１６０は，１８０°回転複写機能が設定されているか否かの判断結果に基づいて，ビットマップデータがスキャンメモリ１４１からプリントメモリ１４２に逆順または正順に再格納されるように制御する。ここで，「正順に再格納する」とは，スキャンメモリ１４１の最初メモリ番地のビットマップデータをプリントメモリ１４２の最初メモリ番地に伝達して再格納し，それぞれ昇順に対応するように再格納することを意味する。また，「逆順に再格納する」とは，スキャンメモリ１４１の最初メモリ番地のビットマップデータをプリントメモリ１４２の最初メモリ番地に伝達して再格納し，スキャンメモリ１４１の番地は，昇順に，プリントメモリ１４２の番地は，降順に対応するように再格納することを意味する。
【００２９】
制御部１６０は，上記の読取部（図示省略）を介して同一の配向情報を転送された場合，通常の過程により格納部１４０，印刷部１５０を制御する。それに対し，前述の読取部を介して反対方向の配向情報を転送された場合，前記入力部１１０を介して１８０°回転複写機能設定命令が入力された場合と同様の過程で格納部１４０，印刷部１５０を制御する。
【００３０】
図３Ａ〜図３Ｄは，本実施形態に係る入力部１１０および表示部１２０の実施形態を示すものである。
【００３１】
図３Ａの一例では，入力部１１０として，１８０°回転複写トグルキー１１０ａを使用し，表示部１２０として，発光ランプ１２０ａを使用する。本実施形態では，複写対象物を１８０°回転して複写するため，ユーザが１８０°回転複写トグルキー１１０ａを押すと，発光ランプ１２０ａが発光する。次いで，ユーザが複写対象物に対して複写命令を入力すると，複写対象物は，１８０°回転状態に複写される。
【００３２】
図３Ｂの一例では，入力部１１０および表示部１２０として，１８０°回転複写ランプトグルキー１１０ｂを使用する。１８０°回転複写ランプトグルキー１１０を一度押下すると，１８０°回転複写機能が設定され，１８０°回転複写ランプトグルキー１１０ｂに組み付けられたＬＥＤ（図示省略）が発光する。もう一度押下すると，１８０°回転複写機能が解除され，１８０°回転複写ランプトグルキー１１０ｂのＬＥＤ（図示省略）に電源供給がされなくなり，発光しない。
【００３３】
図３Ｃの一例では，入力部１１０として，１８０°回転複写トグルキー１１０ｃを使用し，表示部１２０としては，ＬＣＤ窓１２０ｃを使用している。１８０°回転複写ランプトグルキー１１０ｃを，一度押下すると，図３Ｃに示されたように，ＬＣＤ窓１２０ｃに「１８０°回転複写」というメッセージが表示され，１８０°回転複写機能を設定したことを知らせる。もう一度押下すると，ＬＣＤ窓１２０ｃに「１８０°回転複写解除」というメッセージが表示され，１８０°回転複写機能を解除したことを知らせる。
【００３４】
図３Ｄの一例では，入力部１１０および表示部１２０として，タッチスクリーンパネルを使用する。以下，詳述する。ユーザがタッチスクリーンパネル１１０ｄを介して「複写機能一覧」ボタン（図示省略）に触れると，「１８０°回転複写」，「分割複写」，「レイアウト設定」，「複写濃度」，「余白設定」などの付加機能を選択するサブメニュー窓が表示される。サブメニュー窓を介してユーザが「１８０°回転複写」機能を設定すると，図３Ｄのようなサブメニュー窓１１０ｄが表示される。本実施形態では，「全頁」，「偶数頁」，「奇数頁」，「自動」，「設定」および「取消」を設定することができるタッチボタンなどが設けられている。「全頁」機能が設定された場合，その後に複写する全ての複写対象物が１８０°回転した状態に複写され，「偶数頁」機能が設定されると，制御部１６０が，複写する頁数をカウントして偶数番目の複写対象物に対して１８０°回転複写機能が設定されるように制御する。なお，「自動」ボタンを選択した場合は，入力部１１０を介して１８０°回転複写機能を設定しなくとも複写対象物が基準方向と反対方向に積載された状態であるか否かを自動的に判断し，反対方向の場合は，１８０°回転複写機能が適用される。
【００３５】
この１８０°回転複写機能において，偶数頁のイメージは，奇数頁のイメージに対して逆順となる。本実施形態は，奇数頁のイメージ，偶数頁のイメージについて述べているが，これに限定されるのではない。
【００３６】
上記構成を有する複写装置は，１８０°回転機能を設定することにより，複写対象物を１８０°回転したイメージで複写結果物を得ることが可能となる。また，１８０°回転機能を設定したことをユーザにわかりやすく通知するための表示部を備え持っている。
【００３７】
（第２の実施形態）
図４は，第２の実施形態に係る１８０°回転複写方法を説明するためのフローチャートであり，以下に説明する。
【００３８】
まず，複写対象物を原稿台に積載し（ステップＳ２１０），複写命令を入力する（ステップＳ２２０）。制御部１６０は，スキャニング部１３０を制御して複写対象物をスキャンして画像データを読み出し，ビットマップデータに変換するように制御する（ステップＳ２３０）。これと同時に，制御部１６０は，入力部１１０を介して１８０°回転複写機能が設定されているか否かを判断する（ステップＳ２４０）。
【００３９】
判断の結果，１８０°回転複写機能が設定されている場合，制御部１６０は，変換されたビットマップデータを所定の格納単位にスキャンメモリ１４１に逆順に格納する（ステップＳ２５０）。１８０°回転複写機能が設定されていない場合，制御部１６０は，変換されたビットマップデータを所定の格納単位にスキャンメモリ１４１に正順に格納する（ステップＳ２５１）。
【００４０】
次に，制御部１６０は，スキャンメモリ１４１に格納されたビットマップデータを読み出し，プリントメモリ１４２へ各メモリ番地に対応するように正順に伝達して再格納する（ステップＳ２６０）。このとき，１８０°回転複写機能が設定されている場合は，実際に積載された複写対象物のイメージと１８０°回転した状態で再格納する。１８０°回転複写機能が設定されていない場合は，実際に積載された複写対象物のイメージをそのまま再格納する。プリントメモリ１４２へのビットマップデータの再格納が終了すると，制御部１６０は，これをローディングして印刷部１５０を介して印刷する（ステップＳ２７０）。
【００４１】
上記構成の複写方法では，１８０°回転複写機能が設定されている場合，ビットマップデータをスキャンメモリに逆順に格納するステップを行うことで，実際に積載された複写対象物のイメージと１８０°回転した状態の複写結果物を得ることができるようになる。
【００４２】
（第３の実施形態）
また，図５は，第３の実施形態に係る１８０°回転複写方法を説明するためのフローチャートであり，以下に説明する。図４において説明されたＳ２１０，Ｓ２２０，Ｓ２３０と同様であるＳ３１０，Ｓ３２０，Ｓ３３０については，説明を省略する。
【００４３】
Ｓ３３０で変換されたビットマップデータは，スキャンメモリ１４１に正順に格納される（ステップＳ３４０）。このとき，制御部１６０は，１８０°回転複写機能が設定されているか否かを判断する（ステップＳ３５０）。判断の結果，１８０°回転複写機能が設定されている場合，制御部１６０は，格納されたビットマップデータをスキャンメモリ１４１からプリントメモリ１４２に所定の格納単位に逆順に伝達して再格納する（ステップＳ３６０）。１８０°回転複写機能が設定されていない場合，制御部１６０は，格納されたビットマップデータをスキャンメモリ１４１からプリントメモリ１４２に正順に伝達して再格納する（ステップＳ３６１）。制御部１６０は，プリントメモリ１４２に再格納された画像データを印刷部１５０を介して印刷用紙に印刷する（ステップＳ３７０）。
【００４４】
上記構成の複写方法では，１８０°回転複写機能が設定されている場合，スキャンメモリに正順に格納されたビットマップデータをプリントメモリに逆順に格納するステップを行うことで，実際に積載された複写対象物のイメージと１８０°回転した状態の複写結果物を得ることができるようになる。
【００４５】
（第４の実施形態）
図６は，第４の実施形態に係る１８０°回転複写方法を説明するためのフローチャートであり，以下に説明する。図４において説明されたＳ２１０，Ｓ２２０，Ｓ２３０，Ｓ２６０，Ｓ２７０と同様であるＳ４１０，Ｓ４２０，Ｓ４３０，Ｓ４６０，Ｓ４７０については，説明を省略する。
【００４６】
本実施形態では，図３Ｄのような入力部１１０で「自動」ボタンを選択した場合，Ｓ４３０と同時に，読み出された画像データが既に設定された基準方向と同一方向であるか否かを判断する（ステップＳ４４０）。判断の結果，同一方向である場合，制御部１６０は，変換されたビットマップデータをスキャンメモリ１４１に正順に格納するように制御する（ステップＳ４５１）。反対方向である場合，制御部１６０は，変換されたビットマップデータをスキャンメモリ１４１に逆順に格納するように制御する（ステップＳ４５０）。
【００４７】
上記構成の複写方法では，読み出された画像データが既に設定された基準方向と同一方向であるか否かを判断するステップを取り入れることで，自動で１８０°回転複写機能を設定することができ，ユーザの設定する負担を軽減することができる。
【００４８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００４９】
また，上記実施形態は，変換するデータをビットマップデータとして説明しているが，これに限定されるのではない。即ち，他のタイプのイメージデータであっても，本発明に含まれる。
【産業上の利用可能性】
【００５０】
本発明は，フラットベッドスキャン方式の複写装置およびその複写方法に適用可能である。
【図面の簡単な説明】
【００５１】
【図１】従来の複写装置により複写対象物を複写する様子を示す斜視図である。
【図２】第１の実施形態に係る１８０°回転複写機能を有する複写装置のブロック図である。
【図３Ａ】図２の入力部および表示部に関する一例を示す図である。
【図３Ｂ】図２の入力部および表示部に関する一例を示す図である。
【図３Ｃ】図２の入力部および表示部に関する一例を示す図である。
【図３Ｄ】図２の入力部および表示部に関する一例を示す図である。
【図４】第２の実施形態に係る１８０°回転複写方法を説明するためのフローチャートである。
【図５】第３の実施形態に係る１８０°回転複写方法を説明するためのフローチャートである。
【図６】第４の実施形態に係る１８０°回転複写方法を説明するためのフローチャートである。
【符号の説明】
【００５２】
１００        複写装置
１１０        入力部
１２０        表示部
１３０        スキャニング部
１４０        格納部
１４１        スキャンメモリ
１４２        プリントメモリ
１６０        制御部
【図１】
2005117638.tif 000003
【図２】
2005117638.tif 000004
【図３Ａ】
2005117638.tif 000005
【図３Ｂ】
2005117638.tif 000006
【図３Ｃ】
2005117638.tif 000007
【図３Ｄ】
2005117638.tif 000008
【図４】
2005117638.tif 000009
【図５】
2005117638.tif 000010
【図６】
2005117638.tif 000011